(57)【特許請求の範囲】
【請求項１】
塗料供給源（６）および塗装ガン（５）を結ぶ単一の塗料供給経路（７）に圧力調整手段（８）が介設され、前記塗料供給源（６）には、複数の貯槽（１０）と、それら貯槽（１０）内の複数種類の塗料を吸引可能なポンプ（１１）と、それらポンプ（１１）より圧送された複数種類の塗料を選択的に切換えて前記単一の塗料供給経路に供給可能なマニホールド（９）とが含まれる塗装装置であって、前記圧力調整手段（８）は、１次エア・オペレート・レギュレータ（１５）と、１次エア・オペレート・レギュレータ（１５）の下流側に直列に配置される２次エア・オペレート・レギュレータ（１６）とで構成され、１次エア・オペレート・レギュレータ（１５）の容量が２次エア・オペレート・レギュレータ（１６）よりも大きく設定されるとともに、１次エア・オペレート・レギュレータ（１５）の調整圧が一定に設定され、２次エア・オペレート・レギュレータ（１６）の調整圧が塗装部位に応じて変更可能に設定されることを特徴とする塗装装置。
【発明の詳細な説明】
【０００１】
【発明の属する技術分野】
本発明は、塗料供給源および塗装ガンを結ぶ塗料供給経路に、塗装ガンに供給される塗料圧力を調整する圧力調整手段が介設される塗装装置に関する。
【０００２】
【従来の技術】
従来、かかる装置は、たとえば特開平９−２９１４７号公報等により既に知られている。
【０００３】
【発明が解決しようとする課題】
上記従来のものでは、圧力調整手段が、ギヤポンプと、そのギヤポンプの上流側に配置されるエア・オペレート・レギュレータとを含むように構成されており、塗料供給源に接続されたギヤポンプを設定流量に応じた回転数で回転させ、ギヤポンプの吐出圧力に応じてエア・オペレート・レギュレータの調整圧を可変制御するようにしている。
【０００４】
【課題を解決するための手段】
ところが、上記従来のものでは、ギヤポンプおよびエア・オペレート・レギュレータに、圧力制御装置、圧力検出器、圧力設定器、駆動制御装置等が複雑に関連付けられており、塗装装置の設備コストを必要最小限に抑えて製品コストに反映させる上では、機器や制御装置が高価である上に、保守に要するコストも必要以上にかかってしまう等の問題が生じる。
【０００５】
本発明は、かかる事情に鑑みてなされたものであり、圧力調整手段の構成を簡略化した上で、適切な塗布量の塗料を塗装ガンに安定して供給可能とした塗装装置を提供することを目的とする。
【０００６】
【課題を解決するための手段】
上記目的を達成するために、請求項１記載の発明は、塗料供給源および塗装ガンを結ぶ単一の塗料供給経路に圧力調整手段が介設され、前記塗料供給源には、複数の貯槽と、それら貯槽内の複数種類の塗料を吸引可能なポンプと、それらポンプより圧送された複数種類の塗料を選択的に切換えて前記単一の塗料供給経路に供給可能なマニホールドとが含まれる塗装装置であって、前記圧力調整手段は、１次エア・オペレート・レギュレータと、１次エア・オペレート・レギュレータの下流側に直列に配置される２次エア・オペレート・レギュレータとで構成され、１次エア・オペレート・レギュレータの容量が２次エア・オペレート・レギュレータよりも大きく設定されるとともに、１次エア・オペレート・レギュレータの調整圧が一定に設定され、２次エア・オペレート・レギュレータの調整圧が塗装部位に応じて変更可能に設定されることを特徴とする。
【０００７】
このような構成によれば、圧力調整手段が１次エア・オペレート・レギュレータと、その下流側に直列に配置される２次エア・オペレート・レギュレータとで構成されるので、ギヤポンプを用いていた従来のものと比べて構成が極めて簡略化されることになり、機器のコストを抑えるとともに保守に要するコストも抑えることができる。しかもこれらのレギュレータが直列に配置されるので、塗料供給源から供給される塗料の脈動を段階的に抑えるようにして、適切な塗布量の塗料を塗装ガンに安定して供給することが可能となる。
【０００８】
また、１次エア・オペレート・レギュレータの容量が２次エア・オペレート・レギュレータよりも大きく設定されるので、１次エア・オペレート・レギュレータの容量を比較的大きく設定することで塗料供給源からの比較的大きな脈動に対処し、比較的小さな容量の２次エア・オペレート・レギュレータで脈動幅をより小さく抑えることができる。
【０００９】
さらに、前記１次エア・オペレート・レギュレータの調整圧が一定に設定され、前記２次エア・オペレート・レギュレータの調整圧が塗装部位に応じて変更可能に設定されるので、２次エア・オペレート・レギュレータの調整圧を変更することで塗装部位に応じた塗装量の変更に対処することができる。
【００１０】
【発明の実施の形態】
以下、本発明の実施の形態を、添付の図面に示した本発明の一実施例に基づいて説明する。
【００１１】
図１において、塗装ガン５には、該塗装ガン５および塗料供給源６を結ぶ塗料供給経路７から塗料が供給されるものであり、前記塗料供給経路７の途中に介設される圧力調整手段８により塗装ガン５への塗料供給量および圧力が調整される。
【００１２】
塗料供給源６は、内部に図示しない塗料通路が設けられるマニホールド９と、相互に異なる塗料を貯留する複数の貯槽１０…と、それらの貯槽１０…に吸引口が個別に接続される複数のポンプ１１…と、各ポンプ１１…の吐出口を前記塗料通路に通じさせる状態ならびに前記吐出口を前記貯槽１０…に通じさせる状態を択一的に切換える複数の切換弁１２…とを備えるものであり、マニホールド９内の塗料通路からは、複数種類の塗料を選択的に切換えて供給可能である。またマニホールド９の一端には、塗料の種類を切換える際に、塗料供給経路７を洗浄するシンナーの供給・遮断を切換える開閉弁１３が接続される。
【００１３】
塗料供給経路７は、前記マニホールド９内の塗料通路の一部と、マニホールド９および塗装ガン５間を結ぶ管路１４とで構成される。圧力調整手段８は、直列に接続されるレギュレータ１５，１６から構成されるものであり、この実施例では、１次エア・オペレート・レギュレータ１５と、１次エア・オペレート・レギュレータ１５にその下流側で接続される２次エア・オペレート・レギュレータ１６とで圧力調整手段８が構成される。
【００１４】
１次エア・オペレート・レギュレータ１５は、前記マニホールド９の他端に取付けられて該マニホールド９内の塗料通路に介設されるものであり、２次エア・オペレート・レギュレータ１６はマニホールド９および塗装ガン５間の管路１４の途中に介設される。しかも１次エア・オペレート・レギュレータ１５の容量は２次エア・オペレート・レギュレータ１６の容量よりも大きく設定されており、たとえば２次エア・オペレート・レギュレータ１６の容量が４００ｃｃ／ｍｉｎであるときに、１次エア・オペレート・レギュレータ１５の容量は１０００ｃｃ／ｍｉｎに設定されている。
【００１５】
また１次エア・オペレート・レギュレータ１５の調整圧は、一定たとえば０．３５ＭＰａに設定されるものであり、１次エア・オペレート・レギュレータ１５に作用するパイロット圧は、塗装装置のブース内に設けられる空気圧配管１７からの圧縮空気をリリーフ付き減圧弁１８により一定圧に制御することにより得られる。また２次エア・オペレートレギュレータ１６の調整圧は、変更可能に設定されるものであり、２次エア・オペレート・レギュレータ１６には、電空変換器１９で変更可能に調節された空気圧がパイロット圧として作用する。
【００１６】
このような圧力調整手段８および塗装ガン５間で管路１４には開閉弁２１が介設され、塗装ガン５および廃液タンク２２を結ぶ管路２３にも開閉弁２４が介設される。
【００１７】
次にこの実施例の作用について説明すると、塗料供給源６および塗装ガン５を結ぶ塗料供給経路７に介設される圧力調整手段８が、直列に配置される２つのエア・オペレート・レギュレータ１５，１６で構成されるので、ギヤポンプを用いていた従来のものと比べて圧力調整手段８の構成を極めて簡略化することができ、それにより、機器のコストを抑えるとともに保守に要するコストも抑えることができる。しかも直列である各レギュレータ１５，１６により、塗料供給源６から供給される塗料の脈動を段階的に抑えるようにして、適切な塗布量の塗料を塗装ガン５に安定して供給することが可能となる。
【００１８】
また圧力調整手段８が、１次エア・オペレート・レギュレータ１５と、その下流側に直列に配置される２次エア・オペレート・レギュレータ１６とで構成されることにより、最小複数個数である２つのエア・オペレート・レギュレータ１５，１６で圧力調整手段８を構成するようにして圧力調整手段８の構成をより簡略化することが可能であり、しかも１次エア・オペレート・レギュレータ１５の容量が２次エア・オペレート・レギュレータ１６よりも大きく設定されるので、１次エア・オペレート・レギュレータ１５の容量を比較的大きく設定することで塗料供給源６からの比較的大きな脈動に対処し、比較的小さな容量の２次エア・オペレート・レギュレータ１６で脈動幅をより小さく抑えることができる。
【００１９】
さらに前記１次エア・オペレート・レギュレータ１５の調整圧が一定に設定され、２次エア・オペレート・レギュレータ１６の調整圧が塗装部位に応じて変更可能に設定されるので、２次エア・オペレート・レギュレータ１６の調整圧を変更することで塗装部位に応じた塗装量の変更に対処することができる。
【００２０】
以上、本発明の実施例を説明したが、本発明は上記実施例に限定されるものではなく、特許請求の範囲に記載された本発明を逸脱することなく種々の設計変更を行うことが可能である。
【００２１】
【発明の効果】
以上のように請求項１記載の発明によれば、圧力調整手段の構成を簡略化し、機器のコストを抑えるとともに保守に要するコストも抑えることができる。しかも塗料供給源から供給される塗料の脈動を段階的に抑えるようにして、適切な塗布量の塗料を塗装ガンに安定して供給することが可能となる。
【００２２】
また、圧力調整手段の構成をより簡略化し、１次エア・オペレート・レギュレータの容量を比較的大きく設定することで塗料供給源からの比較的大きな脈動に対処し、比較的小さな容量の２次エア・オペレート・レギュレータで脈動幅をより小さく抑えることができる。
【００２３】
さらに、２次エア・オペレート・レギュレータの調整圧を変更することで塗装部位に応じた塗装量の変更に対処することができる。
【図面の簡単な説明】
【図１】  塗装装置の構成を示す系統図である。
【符号の説明】
５・・・塗装ガン
６・・・塗料供給源
７・・・塗料供給経路
８・・・圧力調整手段
１５・・・１次エア・オペレート・レギュレータ
１６・・・２次エア・オペレート・レギュレータ
【図１】
0003986839.tif 000002